(57)【要約】【課題】  複数のアンテナコイルを有するアンテナ付き電子機器において、小型化可能にすると共に、筐体に応じた適切なアンテナコイルを容易に選択して装着可能にすること。【解決手段】  アンテナ１０１のアンテナ本体２０４は、複数の層に重ね巻きされた複数のアンテナコイルを有しており、電波時計の筐体の材質に応じて、前記筐体内における前記アンテナコイルの取り付け方向を変えることによって、インダクタンス値の異なるアンテナコイルを電波時計のアンテナとして選択して使用する。【選択図】  図２
2006140658.tif 000002
【特許請求の範囲】
【請求項１】
複数のアンテナコイルと、少なくとも前記複数のアンテナコイルを収納する筐体と、前記複数のアンテナコイルの中の少なくとも一つのアンテナコイルが電気的に接続されると共に該アンテナコイルにより受信した電波信号に対応する信号が入力される回路要素を搭載した回路基板とを備え、
前記筐体内における前記アンテナコイルの取り付け方向を可変にして成り、
前記アンテナコイルの取り付け方向を変えることによって、前記筐体の材質に応じて、インダクタンス値の異なるアンテナコイルを前記回路基板に電気的に接続することを特徴とするアンテナ付き電子機器。
【請求項２】
前記複数のアンテナコイルの端子が電気的に接続されると共に前記回路基板に電気的に接続可能な複数のリード基板を備え、
前記筐体の材質に応じて、前記筐体内における前記各リード基板の取り付け方向を変えるようにしたことを特徴とする請求項１記載のアンテナ付き電子機器。
【請求項３】
前記複数のリード基板は、前記複数のアンテナの対角位置、上下位置及び両端位置の何れかに設けられて成ることを特徴とする請求項２記載のアンテナ付き電子機器。
【請求項４】
前記複数のリード基板の取り付け方向には、第１の方向と第２の方向とが設けられて成り、
前記複数のリード基板は、前記筐体が金属筐体の場合には第１の方向に取り付けられ、前記筐体がプラスチック筐体の場合には第２の方向に取り付けられることを特徴とする請求項３記載のアンテナ付き電子機器。
【請求項５】
前記リード基板が第１の方向に取り付けられた場合に前記回路基板に接続されるアンテナコイルのインダクタンス値は、前記リード基板が第２の方向に取り付けられた場合に前記回路基板に接続されるアンテナコイルのインダクタンス値よりも大きいことを特徴とする請求項４記載のアンテナ付き電子機器。
【請求項６】
前記複数のアンテナコイルは連続して成ることを特徴とする請求項１〜５のいずれか一に記載のアンテナ付き電子機器。
【請求項７】
前記複数のアンテナコイルは、複数の層に重ね巻きされて成ることを特徴とする請求項１〜６のいずれか一に記載のアンテナ付き電子機器。
【発明の詳細な説明】
【技術分野】
【０００１】
本発明は、アンテナコイルにより電波で通信を行うアンテナ付き電子機器に関する。
【背景技術】
【０００２】
従来から、電波時計や携帯電話等のアンテナ付き電子機器が開発されている。
例えば、特許文献１には、共通のコアに巻回された複数のアンテナコイルを有し、前記複数のコイルを電気的なスイッチで切り換えることによって同調周波数を変化させ、周波数の異なる複数の長波標準電波信号を選択的に受信できるように構成した電波時計が開示されている。
【０００３】
我が国では長波標準電波信号として、４０ｋＨｚと６０ｋＨｚの２種類の周波数の信号が使用されているため、前記特許文献１に記載された電波時計によって、両方の周波数の信号を受信することが可能になる。したがって、一方の周波数の長波標準電波信号を受信できないときは、アンテナコイルを切り換えることによって、他方の周波数の長波標準電波信号を受信することが可能になる。これにより、長波標準電波信号に含まれるタイムコード信号から現在時刻の情報を取り出して、時刻修正をより確実に行うことが可能になる。
ところで、近年電波時計を金属筐体に収納するという需要があるが、プラスチック筐体と金属筐体では、搭載するアンテナのインダクタンス最適値が異なっている。
【０００４】
前記特許文献１記載の電波時計においては、複数のアンテナコイルを横並びに併設した構成であるため、１つのアンテナコイル使用する通常のものと比べて、占有面積が大きくなり、その結果、電波時計が大きくなるという問題がある。
これを解決するために単一のアンテナコイルを使用する場合には、アンテナコイルを筐体の種類に応じて複数種類用意して、製造段階で筐体の種類に応じた最適なアンテナコイルを選択して、半田付け等によって取り付けなければならず、最適なアンテナコイルの選択、取り付けが煩雑になるという問題がある。
【０００５】
【特許文献１】特開２００３−６０５２０号公報の段落［００１３］〜［００２０］、図３、図４
【発明の開示】
【発明が解決しようとする課題】
【０００６】
本発明は、複数のアンテナコイルを有するアンテナ付き電子機器において、筐体に応じた適切なアンテナコイルを容易に選択して装着可能にすることを課題としている。
また、本発明は、複数のアンテナコイルを有するアンテナ付き電子機器において、筐体に応じた適切なアンテナコイルを容易に選択して装着可能にすると共に、小型化可能にすることを課題としている。
【課題を解決するための手段】
【０００７】
本発明によれば、複数のアンテナコイルと、少なくとも前記複数のアンテナコイルを収納する筐体と、前記複数のアンテナコイルの中の少なくとも一つのアンテナコイルが電気的に接続されると共に該アンテナコイルにより受信した電波信号に対応する信号が入力される回路要素を搭載した回路基板とを備え、前記筐体内における前記アンテナコイルの取り付け方向を可変にして成り、前記アンテナコイルの取り付け方向を変えることによって、前記筐体の材質に応じて、インダクタンス値の異なるアンテナコイルを前記回路基板に電気的に接続することを特徴とするアンテナ付き電子機器が提供される。
【０００８】
ここで、前記複数のアンテナコイルの端子が電気的に接続されると共に前記回路基板に電気的に接続可能な複数のリード基板を備え、前記筐体の材質に応じて、前記筐体内における前記各リード基板の取り付け方向を変えるように構成してもよい。
また、前記複数のリード基板は、前記複数のアンテナの対角位置、上下位置及び両端位置の何れかに設けられて成るように構成してもよい。
また、前記複数のリード基板の取り付け方向には、第１の方向と第２の方向とが設けられて成り、前記複数のリード基板は、前記筐体が金属筐体の場合には第１の方向に取り付けられ、前記筐体がプラスチック筐体の場合には第２の方向に取り付けられるように構成してもよい。
【０００９】
また、前記リード基板が第１の方向に取り付けられた場合に前記回路基板に接続されるアンテナコイルのインダクタンス値は、前記リード基板が第２の方向に取り付けられた場合に前記回路基板に接続されるアンテナコイルのインダクタンス値よりも大きいように構成してもよい。
また、前記複数のアンテナコイルは連続して成るように構成してもよい。
また、前記複数のアンテナコイルは、複数の層に重ね巻きされて成るように構成してもよい。
【発明の効果】
【００１０】
本発明によれば、筐体に応じた適切なアンテナコイルを容易に選択して装着可能にすることが可能になる。
また、本発明によれば、筐体に応じた適切なアンテナコイルを容易に選択して装着可能にすると共に、小型化が可能になる。
また、アンテナコイルの選択切換に電気的処理等を使用する必要がなくなるため、廉価に構成することが可能になる。
また、複数種類のアンテナコイルを個別に用意する必要がないので、製造における負担が軽減されるという効果を奏する。
【発明を実施するための最良の形態】
【００１１】
以下、本発明の実施の形態に係るアンテナ付き電子機器について説明する。
図１は、本発明の実施の形態に係るアンテナ付き電子機器のブロック図であり、現在時刻の情報を含む時刻コード信号を電波で受信し、計時手段で計時している時刻を、前記時刻コード信号に含まれる現在時刻の情報で修正する電波時計の例を示している。
図１において、電波時計は、アンテナ１０１、電波受信部である電波受信ＩＣ（集積回路）１０２、電波時計の各電気的構成要素を制御する制御回路１０３、竜頭等の操作部材１０４、制御回路１０３からの時刻信号に基づく時刻等を表示する表示手段としての表示機構１０５、各電気的構成要素に電力供給する電源１０６を有している。
【００１２】
電波受信ＩＣ１０２は、アンテナ１０１で受信した信号を増幅するＡＧＣ増幅回路、ＡＧＣ増幅回路の出力信号から現在時刻を表す時刻コード信号を抽出する復調回路を有している。
表示機構１０５は、アナログ表示型電波時計の場合には、時針や分針を含む時刻針及びこれらの駆動機構によって構成され又、デジタル表示型電波時計の場合には、液晶表示装置等が使用される。
【００１３】
アンテナ１０１は、詳細は後述するが、複数のアンテナコイルを有すると共に時刻情報を含む電波信号（日本では長波標準電波信号）を受信するためのアンテナコイルである。アンテナ１０１の端子は、複数のリード基板に接続されており、前記リード基板の取り付け方向を変えることによって、少なくともアンテナ１０１を収納する筐体（例えば、電波時計の構成要素全てを収納する筐体）の材質（例えば、金属筐体、プラスチック筐体）に応じたインダクタンス値のアンテナコイルを容易に選択して使用できるように構成されている。
【００１４】
アンテナ１０１の取り付け方向を変更することによってアンテナコイルのインダクタンス値が変わるが、それと同時に該アンテナコイルに接続されるコンデンサ（図示せず）も変更されるように構成されている。これにより、アンテナ１０１の取り付け方向を変更した場合でも、アンテナコイル及びコンデンサによって構成される同調回路の同調周波数は変更されず、前記電波信号の周波数（例えば４０ｋＨｚ）に一致するように構成されている。
尚、回路要素である電波受信ＩＣ１０２、制御回路１０３は筐体内に設けられた回路基板に搭載されている。前記回路基板には少なくとも受信回路が搭載され、アンテナ１０１は前記リード基板を介して前記回路基板と電気的に接続される。これにより、アンテナ１０１により受信した電波信号に対応する信号が、前記回路基板に搭載された回路要素である前記受信回路に入力される。
【００１５】
電波受信ＩＣ１０２において、筐体の種類に応じて予め選択したアンテナコイルを含む同調回路で受信した電波信号が前記復調回路で復調されて、時刻コード信号が制御回路１０３に出力される。制御回路１０３は、前記時刻コード信号に基づいて、自己が計時している時刻を修正し、表示機構１０５で表示する。これにより、表示機構１０５には正確な現在時刻が表示される。
このように、少なくともアンテナ１０１を収納する筐体の材質に応じて適切な特性を有するアンテナコイルを選択して使用するため、電波時計の筐体の材質によって受ける感度への影響を小さく抑制して、良好な電波受信が可能になる。
【００１６】
図２は、図１に示した電波時計に使用する第１の実施の形態に係るアンテナ１０１及びその周辺部の詳細を示す平面図であり、図１と同一部分には同一符号を付している。
図３は、図２に示した第１の実施の形態に係るアンテナ１０１を回路基板に取り付けた状態を示す正面図であり、図１及び図２と同一部分には同一符号を付している。
また、図４は、図２及び図３に示した第１の実施の形態に係るアンテナ１０１に含まれるアンテナコイルの構成を示す構成図であり、図１〜図３と同一部分には同一符号を付している。
【００１７】
図２〜図４において、アンテナ１０１は、コア２０３に巻回されたアンテナコイル本体２０４を有している。アンテナコイル本体２０４は複数のアンテナコイル４０１〜４０３を有している。複数のアンテナコイル４０１〜４０３は、コア２０３に対して複数の層に重ね巻きされている。例えば、コア２０３の上層にはアンテナコイル４０１が巻回され、アンテナコイル４０１の上層にはアンテナコイル４０２が巻回され、アンテナコイル４０２の上層にはアンテナコイル４０３が巻回されている。各アンテナコイル４０１〜４０３は物理的に連続した構成となっている。
【００１８】
アンテナコイル４０１の両端にはリード端子２０７、２０５が設けられ、アンテナコイル４０２の両端にはリード端子２０５、２０８が設けられ、アンテナコイル４０３の両端にはリード端子２０８、２０６が設けられている。
端子２０７、２０８を回路基板３０１に電気的に接続あるいは固定するためのリード基板２０１の下面側には、銅箔パターン２１１、２１２が設けられ又、リード基板２０１にはリード基板２０１を固定するための貫通穴２１４が設けられている。
端子２０５、２０６を回路基板３０１に電気的に接続あるいは固定するためのリード基板２０２の上面側には、銅箔パターン２０９、２１０が設けられ又、リード基板２０２にはリード基板２０２を固定するための貫通穴２１３が設けられている。
【００１９】
複数のリード基板２０１、２０２は複数のアンテナコイル４０１〜４０３の対角位置（複数のリード基板２０１、２０２が、複数のアンテナコイルの両端に配設されると共に各リード基板２０１、２０２が前記複数のアンテナコイルを挟んで斜めになる位置（図６、図７の例では各リード基板２０１、２０２が複数のアンテナコイル２０１、２０２の外側を向くような位置）に配設されている。
端子２０７、２０８は、各々、リード基板２０１に設けられた銅箔パターン２１１、２１２に半田付け等によって電気的に接続され又、端子２０５、２０６は、各々、リード基板２０２に設けられた銅箔パターン２０９、２１０に半田付け等によって電気的に接続されている。
【００２０】
以上のように構成されたアンテナ１０１は、電波受信ＩＣ１０２の受信回路に電気的に接続するようにリード基板２０１、２０２によって筐体内に取り付けられる。
図３にはアンテナ１０１が第１の方向に取り付けられた状態を示しており、リード基板２０１に設けた貫通穴２１４を支持部材３０３に挿入すると共に、リード基板２０２に設けた貫通穴２１３及び回路基板３０１に設けた貫通穴３０６に螺合するネジ３０５によってリード基板２０１側を支持部材３０４に固定している。
【００２１】
これにより、リード基板２０２の銅箔パターン２０９、２１０が回路基板３０１の銅箔パターンと電気的に接続された状態でアンテナ１０１が筐体内に取り付けられる。前記第１の取付方向の場合には、アンテナ１０１に含まれる複数のアンテナコイルのうち、アンテナコイル４０２及びアンテナコイル４０３の直列回路が選択されて、電波受信ＩＣ１０２に接続されることになる。
このときのアンテナコイル４０２とアンテナコイル４０３のインダクタンス値の和は、アンテナコイル４０１とアンテナコイル４０２のインダクタンス値の和よりも大きくなるように構成されているため、後述するように、アンテナ１０１の取付方向がインダクタンス値の大きい第１の方向の場合には金属筐体に適したアンテナ特性となる。
【００２２】
使用するアンテナのインダクタンス値を変更する場合には、アンテナ１０１の取付方向を第２の方向にする。即ち、リード基板２０２に設けた貫通穴２１３を支持部材３０４に挿入すると共に、リード基板２０１に設けた貫通穴２１４及び回路基板３０１に設けた貫通穴３０６に螺合するネジ３０５によってリード基板２０１側を支持部材３０４に固定する。
これにより、リード基板２０１の銅箔パターン２１１、２１２が回路基板３０１の銅箔パターンと電気的に接続された状態でアンテナ１０１が筐体内に固定される。この場合、アンテナ１０１に含まれる複数のアンテナコイルのうち、アンテナコイル４０１及びアンテナコイル４０２の直列回路が選択されて、電波受信ＩＣ１０２に接続されることになる。
このときのアンテナコイル４０１とアンテナコイル４０２のインダクタンス値の和は、アンテナコイル４０２とアンテナコイル４０３のインダクタンス値の和よりも小さくなるように構成されているため、後述するように、アンテナ１０１の取付方向がインダクタンス値の小さい第２の方向の場合にはプラスチック筐体に適したアンテナ特性となる。
【００２３】
ところで、前述したように、アンテナコイルを金属筐体に入れると感度が低下する。これはアンテナコイルに金属が近接することによりアンテナコイルの直列等価抵抗が増大しＱ値が減少してしまうためと、アンテナ回路のインピーダンスが変化して受信回路とのインピーダンスマッチングがずれてしまうためである。また、アンテナをプラスチック筐体に収納した場合はインダクタンスが小さい方が感度が良いが、金属筐体に収納した場合はインダクタンスが大きい方が感度が良くなる。
【００２４】
この関係を図５に示す。図５は、アンテナコイルを含む同調回路のインダクタンスＬと感度の関係を示す特性図で、同調回路をプラスチック筐体（外装）に収納した場合と金属筐体（外装）に収納した場合のそれぞれについてグラフにしたものである。横軸はアンテナコイルのインダクタンスＬ（ｍＨ）、縦軸は受信回路１０との組合せによる感度（ｄＢμＶ／ｍ）である。
【００２５】
図５から明らかなように、アンテナコイルのインダクタンス値が大きい方（アンテナ１０１の取付方向が第１の方向の場合）が、金属筐体に入れた場合の感度低下の程度が軽減されるため金属筐体に対して有利な特性となる。一方プラスチックのように金属の影響が少ない筐体に封入することを想定した場合は、インダクタンスが小さい方（アンテナ１０１の取付方向が第２の方向の場合）が感度的には有利な特性となる。
【００２６】
このように、電波時計モジュールを封入する筐体がプラスチックの場合と金属の場合では最適なインダクタンスが異なることから、本実施の形態のように、プラスチック筐体用と金属筐体用にそれぞれ最適化された複数のアンテナコイルを備えるようにして、製造時に筐体の種類に応じて適切な特性を有する方のアンテナコイルを使用するようにアンテナの取付方向を選択することにより、筐体の種類に拘わらず受信感度が良好で汎用性の高い電波時計モジュールを実現することができる。
【００２７】
また、前記のように複数のアンテナコイルが多層に巻回された構造になっているため、アンテナを収納する筐体の種類によって与えられる受信感度への影響を抑制するように構成できるので、電波時計においては、環境に対応したムーブメントを複数種類用意する必要が無くなり、ムーブメントを兼用して複数の環境に対応することができる。
また、複数のアンテナコイル４０１〜４０３はコア２０３に対して複数の層に重ね巻きされているため、コイルを配設するスペースを削減でき、機器の小型化が可能になる。
【００２８】
図６は、本発明のアンテナ付き電子機器に使用する第２の実施の形態に係るアンテナ及びその周辺部の詳細を示す平面図である。
図７は、図６に示した第２の実施の形態に係るアンテナを回路基板に取り付けた状態を示す正面図である。
また、図８及び図９は、図６及び図７に示した第２の実施の形態に係るアンテナ１０１に含まれるアンテナコイルの構成を示す構成図である。
図６〜図９において、図１〜図４と同一機能を有する部分には同一符号を付しており、それらについての詳細な説明は省略し、相違点について詳細に説明する。
【００２９】
図６及び図７において、本第２の実施の形態に係るアンテナが前記第１の実施の形態に係るアンテナと相違する点は、前記第１の実施の形態に係るアンテナでは複数のリード基板２０１、２０２が複数のアンテナコイルの対角位置に配設されていたが、本第２の実施の形態に係るアンテナでは複数のリード基板２０１、２０２が複数のアンテナコイルの両端位置（本実施の形態では、複数のリード基板２０１、２０２が、複数のアンテナコイルの両端に配設されると共に各リード基板２０１、２０２の銅箔パターン２０９〜２１２が形成された面（銅箔パターン面）が回路基板３０１に対して同一の側（図６、図７の例では回路基板３０１側）になるような位置）に配設されている点である。尚、本第２の実施の形態においても、図８及び図９に示すように、前記第１の実施の形態と同様に、アンテナ１０１のアンテナコイル本体２０４は、コア２０３に対して複数の層に重ね巻きされた複数のアンテナコイル８０１、８０２を有している。
【００３０】
以上のように構成されたアンテナ１０１は、電波受信ＩＣ１０２に電気的に接続するようにリード基板２０１、２０２によって筐体内に取り付けられる。
図７にはアンテナ１０１が第１の方向に取り付けられた状態を示しており、リード基板２０１に設けた貫通穴２１４及び回路基板３０１に設けた貫通穴６０１に螺合するネジ（図示せず）によって支持部材（図示せず）に固定すると共に、リード基板２０２に設けた貫通穴２１３及び回路基板３０１に設けた貫通穴３０６に螺合するネジ３０５によって支持部材３０４に固定される。
これにより、リード基板２０２の銅箔パターン２０９、２１０が回路基板３０１の銅箔パターン６０３と電気的に接続され又、リード基板２０１の銅箔パターン２１１、２１２が回路基板３０１の銅箔パターン６０２と電気的に接続された状態でアンテナ１０１が筐体内に取り付けられる。
【００３１】
この場合、図８に示すように、回路基板３０１の銅箔パターンIIIによって、アンテナコイル８０１が接続された銅箔パターン２１１とアンテナコイル８０２が接続された銅箔パターン２１２とが短絡されるため、回路基板３０１の銅箔パターンVI、VII間には、アンテナコイル８０１、８０２が直列接続されたアンテナコイルが接続されることになる。銅箔パターンVI、VIIには電波受信ＩＣ１０２が接続される。
前記第１の取付方向の場合には、後述する第２の方向に取り付けられたアンテナコイルよりもインダクタンス値の和の大きい複数のアンテナコイルが選択されて、電波受信ＩＣ１０２に接続されることになる。これにより、アンテナ１０１の取付方向が第１の方向の場合には、インダクタンス値が大きいため、金属筐体に適したアンテナ特性となる。
【００３２】
使用するアンテナ１０１のインダクタンス値を変更する場合には、アンテナ１０１の取付方向を第２の方向にする。即ち、リード基板２０１に設けた貫通穴２１４及び回路基板３０１に設けた貫通穴３０６に螺合するネジ３０５によって支持部材３０４に固定すると共に、リード基板２０２に設けた貫通穴２１３及び回路基板６０１に設けた貫通穴６０１に螺合するネジによって支持部材に固定する。
これにより、リード基板２０１の銅箔パターン２１１、２１２が回路基板３０１の銅箔パターン６０３と電気的に接続され又、リード基板２０２の銅箔パターン２０９、２１０が回路基板３０１の銅箔パターン６０２と電気的に接続された状態でアンテナ１０１が筐体内に取り付けられる。
【００３３】
この場合、図９に示すように、アンテナコイル８０２が接続された銅箔パターン２１０、２１２は、各々、回路基板３０１の銅箔パターンII、Vに接続され、又、アンテナコイル８０１が接続された銅箔パターン２０９、２１１は、各々、回路基板３０１の銅箔パターンI、IVに接続されることになる。回路基板３０１の銅箔パターンI〜VIIの接続を所定の関係にしておくことにより、アンテナが第２の方向に取り付けられた場合に、前記第１の方向におけるアンテナコイルのインダクタンス値よりも小さいインダクタンス値のアンテナコイルが電波受信ＩＣ１０２に接続されるように構成することができる。
このようにして、前記第２の取付方向の場合には、前記第１の方向に取り付けられたアンテナコイルよりもインダクタンス値の小さいアンテナコイルが選択されて、電波受信ＩＣ１０２に接続されることにより、アンテナ１０１の取付方向が第２の方向の場合には、プラスチック筐体に適したアンテナ特性となる。
【００３４】
図１０は、本発明のアンテナ付き電子機器に使用する第３の実施の形態に係るアンテナ及びその周辺部の詳細を示す平面図である。
また、図１１は、図１０に示した第３の実施の形態に係るアンテナを回路基板に取り付けた状態を示す正面図である。
図１０、図１１において、図１〜図４及び図６〜図９と同一機能を有する部分には同一符号を付しており、それらについての詳細な説明は省略し、相違点について説明する。
【００３５】
図１０及び図１１において、本第３の実施の形態に係るアンテナが前記第１、第２の実施の形態に係るアンテナと相違する点は、本第３の実施の形態に係るアンテナでは複数のリード基板２０１、２０２が複数のアンテナコイルの一端側の上下位置（図１０、図１１の例では、複数のリード基板２０１、２０２が、複数のアンテナコイルの一端側に配設されると共に各リード基板２０１、２０２の銅箔パターン面が相互に背を向けるような配置）に配設されている点である。尚、本第３の実施の形態においても、前記第１、第２の実施の形態と同様に、アンテナ１０１のアンテナコイル本体２０４は、コア２０３に対して複数の層に重ね巻きされた複数のアンテナコイルを有している。
【００３６】
以上のように構成されたアンテナ１０１は、受信回路１０２に電気的に接続するようにリード基板２０１、２０２によって筐体内に取り付けられる。
図１０にはアンテナ１０１が第１の方向に取り付けられた状態を示しており、リード基板２０２の銅箔パターン面が回路基板３０１の銅箔パターン面と対面するようにして、リード基板２０１、２０２に設けた貫通穴２１４、２１３及び回路基板３０１に設けた貫通穴３０６に螺合するネジ３０５によって支持部材３０４に固定される。
【００３７】
これにより、リード基板２０２の銅箔パターン２０９、２１０が回路基板３０１の銅箔パターンと電気的に接続された状態でアンテナ１０１が筐体内に取り付けられる。前記第１の取付方向の場合には、後述する第２の方向に取り付けられたアンテナコイルよりもインダクタンス値の大きい単一のアンテナコイル又はインダクタンス値の和の大きい複数のアンテナコイルが選択されて、電波受信ＩＣ１０２に接続されることになる。これにより、アンテナ１０１の取付方向が第１の方向の場合には、インダクタンス値が大きいため、金属筐体に適した特性となる。
【００３８】
使用するアンテナ１０１のインダクタンス値を変更する場合には、アンテナ１０１の取付方向を第２の方向にする。即ち、リード基板２０１、２０２の上下を逆にすることによって、リード基板２０１の銅箔パターン面が回路基板３０１の銅箔パターン面と対面するようにして、リード基板２０１、２０２に設けた貫通穴２１４、２１３及び回路基板３０１に設けた貫通穴３０６に螺合するネジ３０５によって支持部材３０４に固定する。
【００３９】
これにより、リード基板２０１の銅箔パターン２１１、２１２が回路基板３０１の銅箔パターンと電気的に接続された状態でアンテナ１０１が筐体内に取り付けられれる。
前記第２の取付方向の場合には、前記第１の方向に取り付けられたアンテナコイルよりもインダクタンス値の小さい単一のアンテナコイル又はインダクタンス値の和の小さい複数のアンテナコイルが選択されて、電波受信ＩＣ１０２に接続されることになる。これにより、アンテナ１０１の取付方向が第２の方向の場合には、インダクタンス値が小さいため、プラスチック筐体に適した特性となる。
【産業上の利用可能性】
【００４０】
携帯電話やＰＨＳ（Personal Handyphone System）等の各種のアンテナ付き電子機器に適用することが可能である。また、筐体が金属やプラスチックの場合に限られず、種々の材料の筐体を用いたアンテナ付き電子機器に適用可能である。また、電波時計の場合、日本国のみならず米国等、周波数の異なる国で使用される電波時計にも適用可能である。
【図面の簡単な説明】
【００４１】
【図１】本発明の実施の形態に係る電波時計のブロック図である。
【図２】本発明の実施の形態に係る電波時計に使用する第１の実施の形態に係るアンテナ及びその周辺部の平面図である。
【図３】本発明の実施の形態に係る電波時計に使用する第１の実施の形態に係るアンテナを回路基板に取り付けた状態の正面図である。
【図４】本発明の実施の形態に係る電波時計に使用する第１の実施の形態に係るアンテナに含まれるアンテナコイルの構成図である。
【図５】本発明の実施の形態に係る電波時計の特性を示す図である。
【図６】本発明の実施の形態に係る電波時計に使用する第２の実施の形態に係るアンテナ及びその周辺部の平面図である。
【図７】本発明の実施の形態に係る電波時計に使用する第２の実施の形態に係るアンテナを回路基板に取り付けた状態の正面図である。
【図８】本発明の実施の形態に係る電波時計に使用する第２の実施の形態に係るアンテナに含まれるアンテナコイルの構成図である。
【図９】本発明の実施の形態に係る電波時計に使用する第２の実施の形態に係るアンテナに含まれるアンテナコイルの構成図である。
【図１０】本発明の実施の形態に係る電波時計に使用する第３の実施の形態に係るアンテナ及びその周辺部の平面図である。
【図１１】本発明の実施の形態に係る電波時計に使用する第３の実施の形態に係るアンテナを回路基板に取り付けた状態の正面図である。
【符号の説明】
【００４２】
１０１・・・アンテナ
１０２・・・電波受信ＩＣ
１０３・・・制御回路
１０４・・・操作部材
１０５・・・表示機構
１０６・・・電源
２０１、２０２・・・リード基板
２０３・・・コア
２０４・・・アンテナコイル本体
２０５〜２０８・・・リード端子
２０９〜２１２、６０２、６０３、I〜VII・・・銅箔パターン
２１３、２１４、３０６、６０１・・・貫通穴
３０１・・・回路基板
３０３、３０４・・・支持部材
３０５・・・ネジ
４０１〜４０３、８０１、８０２・・・アンテナコイル
【図１】
2006140658.tif 000003
【図２】
2006140658.tif 000004
【図３】
2006140658.tif 000005
【図４】
2006140658.tif 000006
【図５】
2006140658.tif 000007
【図６】
2006140658.tif 000008
【図７】
2006140658.tif 000009
【図８】
2006140658.tif 000010
【図９】
2006140658.tif 000011
【図１０】
2006140658.tif 000012
【図１１】
2006140658.tif 000013